(57)【要約】【課題】簡易な操作で、電源端子台２１５に電源電線３０００を挿入させ易い状態とするとともに、電源電線挿入後は電源端子台２１５を容易に覆うようにする。【解決手段】本発明に係る端子台カバー２１５は、一対の側壁２１７ｂを有するフレーム２１１と、フレーム２１１に取り付けられた電源端子台２１５と、一対の側壁２１７ｂを挟むように取り付けられた端子台カバー固定部２１７ｂｃを有する端子台カバー２１７と、を備え、側壁２１７ｂは、端子台カバー２１７を可動可能に固定する端子台カバー取付部２１１ａを有し、端子台カバー固定部２１７ｂｃは、端子台カバー取付部２１１ａが挿入され、端子台カバー２１７を所定の位置に保持する複数の保持溝２１７ｂａと、この複数の保持溝２１７ｂａを連結し端子台カバー２１７をスライドさせる際、端子台カバー取付部２１１ａがスライド可動するスライド溝２１７ｂｂを形成する。【選択図】          図１１
2018022557.tif 000002
【特許請求の範囲】
【請求項１】
長尺状をなし、幅手両端に並行するように設けられた一対の側壁を有するフレームと、
このフレームに取り付けられた端子台と、
この端子台を覆う主カバー部と一対の前記側壁を挟むように前記側壁に取り付けられた２つの端子台カバー固定部を有する端子台カバーと、を備え、
前記側壁と前記端子台カバー固定部のいずれかの一方は、前記端子台カバーを可動できる状態で固定する固定具を有し、
前記側壁と前記端子台カバー固定部のいずれかの他方は、前記固定具が挿入され、前記端子台カバーを所定の位置に保持する複数の保持部と、この複数の保持部を連結し前記端子台カバーをスライドさせる際、前記固定具がスライド可動するスライド部が形成されたことを特徴とする照明器具用端子台カバー。
【請求項２】
前記固定具は、前記フレームまたは端子台カバーから突出した凸部と、この凸部に取り付けられた締結具であることを特徴とする請求項１に記載の照明器具用端子台カバー。
【請求項３】
前記保持部及び前記スライド部を連結させた状態の形状は、コ字状またはＵ字状であることを特徴とする請求項１または請求項２に記載の照明器具用端子台カバー。
【請求項４】
前記保持部及び前記スライド部を連結させた状態の形状は、Ｅ字状であることを特徴とする請求項１または請求項２に記載の照明器具用端子台カバー。
【請求項５】
前記固定具は、一対の前記側壁のうち、少なくとも一方の前記側壁に２つ有し、
複数の前記保持部のうち少なくとも１つの前記保持部は、前記端子台カバーが第一配置に保持された状態、または前記第一配置に保持された状態とは異なる前記第二配置に保持された状態において、２つの前記固定具が共通して挿入されることを特徴とする請求項４に記載の照明器具用端子台カバー。
【発明の詳細な説明】
【技術分野】
【０００１】
本発明は、照明器具に搭載される端子台をカバーする照明器具用端子台カバーに関する。
【背景技術】
【０００２】
従来、例えば特許文献１に開示されているように、天井面に向かって端子台の電線挿入孔を露出させ、この端子台を端子台カバーで覆うものがあった。
【先行技術文献】
【特許文献】
【０００３】
【特許文献１】特開平９−９７５１６号公報
【発明の概要】
【発明が解決しようとする課題】
【０００４】
しかしながら、特許文献１では、端子台に電線を挿入するときは、端子台カバーを外す必要があり、端子台カバーを外す手間がかかっていた。
また、照明器具から外した端子台カバーを紛失してしまう恐れがあった。
【０００５】
本発明は、上述のような課題を解決するためになされたもので、簡易な操作で、端子台に電線を挿入させ易い状態とするとともに、電線挿入後は端子台を容易に覆うことを目的とする。
【課題を解決するための手段】
【０００６】
本発明に係る照明器具用端子台カバーは、長尺状をなし、幅手両端に並行するように設けられた一対の側壁を有するフレームと、このフレームに取り付けられた端子台と、この端子台を覆う主カバー部と一対の前記側壁を挟むように前記側壁に取り付けられた２つの端子台カバー固定部を有する端子台カバーと、を備え、前記側壁と前記端子台カバー固定部のいずれかの一方は、前記端子台カバーを可動できる状態で固定する固定具を有し、前記側壁と前記端子台カバー固定部のいずれかの他方は、前記固定具が挿入され、前記端子台カバーを所定の位置に保持する複数の保持部と、この複数の保持部を連結し前記端子台カバーをスライドさせる際、前記固定具がスライド可動するスライド部が形成されたものである。
【発明の効果】
【０００７】
本発明によれば、簡易な操作で、端子台に電線を挿入させ易い状態とするとともに、電線挿入後は端子台を容易に覆うことができる。
【図面の簡単な説明】
【０００８】
【図１】実施の形態１に係る照明システムを示す斜視図である。
【図２】図１の照明システムにおける吊り下げ連結具の斜視図である。
【図３】図２の吊り下げ連結具を側面から見たときの側面図である。
【図４】図２の吊り下げ連結具の分解斜視図である。
【図５】図１の照明システムにおける吊り下げ用照明器具の斜視図である。
【図６】図５の吊り下げ用照明器具を側面から見たときの側面図である。
【図７】図５の吊り下げ用照明器具の分解斜視図である。
【図８】図２の吊り下げ連結具に図６の吊り下げ用照明器具を連結させた状態を示す要部を拡大した拡大斜視図である。
【図９】実施の形態１に係る照明システムの電源電線、通信用電線の配線状態を示す照明システムを上面から見たときの上面図である。
【図１０】実施の形態１に係る吊り下げ用照明器具の端子台カバーの取り付け状態を模式的に示す要部を拡大した拡大斜視図である。
【図１１】図１０の端子台カバーのスライド工程の要部を示す側面図であり、（ａ）は、端子台カバーが電源端子台を覆った状態を示す図、（ｂ）は、端子台カバーをスライドさせている途中の状態を示す図、（ｃ）は、端子台カバーを電源端子台の電源線挿入部を露出させた状態を示す図である。
【図１２】図１１の端子台カバーのスライド工程を上面から見たときの状態を示す上面図であり、（ａ）は、端子台カバーが電源端子台を覆った状態を示す図、（ｂ）は、端子台カバーをスライドさせている途中の状態を示す図、（ｃ）は、端子台カバーを電源端子台の電源線挿入部を露出させた状態を示す図である。
【発明を実施するための形態】
【０００９】
以下、本発明の実施の形態を、図面に基づいて説明する。なお、以下に示す図面の形態によって本発明が限定されるものではない。
【００１０】
実施の形態１．
本実施の形態について、図１〜図１２を用いて説明する。
照明システム１０００は、天井に取り付けられている天井材や吊りボルトなどの被取付具２０００に吊り下げられた複数の吊り下げ連結具１００と、この複数の吊り下げ連結具１００との間に設けられ、両端がそれぞれ異なる吊り下げ連結具１００に接続された吊り下げ用照明器具２００とを有する。
【００１１】
複数の吊り下げ連結具１００は、天井裏などから引き込まれる電源電線３０００を挿通するもの、照明コントローラ３００が取り付けられるものなど、設置環境に応じた種々の形態のものが存在するが、本実施の形態ではその一部の形態について詳細に説明する。
【００１２】
吊り下げ連結具１００は、被取付具２０００に吊り下げられる吊り具１１０と、この吊り具１１０に取り付けられた吊り下げ保持具１２０と、この吊り下げ保持具１２０に取り付けられた連結具化粧カバー１３０と、この連結具化粧カバー１３０に取り付けられ、吊り下げ用照明器具２００と連結される器具本体連結具１４０を有する。
【００１３】
吊り具１１０は、被取付具２０００に取り付けられる取付具１１１と、この取付具１１１に取り付けられ、中央部に丸穴の開口が形成された取付固定具１１２と、取付具１１１と取付固定具１１２とを覆うように取付具１１１に取り付けられ、取付固定具１１２の開口と同形状で同軸上に開口が形成された取付カバー１１３と、両端にねじ切り加工が施され、一方側が取付固定具１１２及び連結具化粧カバー１３０に形成された開口に挿入され、ねじ切り部分にナット締めされて取付固定具１１２に締結され、他端側がネジきり部分にナット締めされて吊り下げ保持具１２０に取り付けられた中空状のパイプ１１４と、を備える。
【００１４】
吊り下げ保持具１２０は、「Ｍ」字状に形成されており、両端に連結具化粧カバー１３０を取り付ける固定部１２１と、中央部にパイプ１１４を挿通するパイプ挿通孔が形成された吊り具締結部１２２と、この吊り具締結部１２２の両側と固定部１２１との間に形成された電線格納部１２３を有する。
【００１５】
固定部１２１は、連結具化粧カバー１３０が載り、連結具化粧カバー１３０を支持するとともに固定する。
【００１６】
電線格納部１２３は、後述する電線が載置される載置部１２３ａと、この載置部１２３ａの両側から立ち上がった立設部１２３ｂ、１２３ｃとを有する。
【００１７】
立設部１２３ｂ、１２３ｃは、折り曲げ加工などにより、吊り下げ保持具１２０（吊り具締結部１２２、載置部１２３ａ）の曲げに対する強度（剛性）を高める。
【００１８】
また、立設部１２３ｂ、１２３ｃ及び固定部１２１とで、載置部１２３ａを囲うことで、載置部１２３ａに載置された電線を所定空間（立設部１２３ｂ、１２３ｃ及び固定部１２１で囲われた空間）に収まった状態を維持するように格納する。
【００１９】
連結具化粧カバー１３０は、断面形状が「Ｕ」字状または「コ」字状に形成された板金などであり、両端部が内側方向に突出して吊り下げ保持部１２０の固定部１２１に引っ掛かるとともに、ネジなどで締結される係止部１３１が形成される。なお、この連結具化粧カバー１３０は、照明コントローラ３００などのオプション品が取り付けられる吊り下げ連結具１００である場合は、「Ｕ」字状または「コ」字状に形成された略中央部分にオプション品を取り付けるためのオプション取付穴１３２が設けられる場合がある。
【００２０】
器具本体連結具１４０は、階段状に形成され、一端が連結具化粧カバー１３０に溶接または接着などにより連結具化粧カバー１３０に取り付けられ、他端が吊り下げ用照明器具２００をネジ１４１などによって固定するための固定穴１４２が形成される。この器具本体連結具１４０は、連結具化粧カバー１３０から突出するように、連結具化粧カバー１３０に取り付けられる。
【００２１】
吊り下げ用照明器具２００は、器具本体２１０と、天井などの被取付具２０００側である上方側の器具本体２１０に取り付けられた第一光源装置２２０と、被取付具２０００側と相対する方向である下側の器具本体２１０に取り付けられた第二光源装置２３０とを備える。
【００２２】
器具本体２１０は、長尺状のフレーム２１１と、このフレーム２１１の長手方向の両端に取り付けられた連結部２１２と、同じくフレーム２１１の長手方向の両端に取り付けられ、器具本体連結部１４０に当接する端部２１３と、第一光源装置２２０が取り付けられる第一光源装置取付具２１４と、フレーム２１１に取り付けられた電源端子台２１５と、この電源端子台２１５に並ぶようにフレーム２１１に取り付けられた信号線端子台２１６と、電源端子台２１５と信号線端子台２１６を覆うようにフレーム２１１に取り付けられた端子台カバー２１７と、フレーム２１１の短手方向の両側をそれぞれ覆う２つの器具本体化粧カバー２１８と、を備える。
【００２３】
フレーム２１１は、短手方向の両端が折り曲げられて形成される端子台カバー取付部２１１ａを有する。
【００２４】
端子台カバー取付部２１１ａは、バーリング加工などにより突出するように形成された凸部２１１ａａと、この凸部２１１ａａにねじ込まれて、端子台カバー２１７をスライド可能に固定するネジ２１１ａｂとを有する。
【００２５】
連結部２１２は、四角形状の２つの角部を切り落としたようなホームベース形状の６角形をなしており、中央部に電線を挿通させるための電線挿通孔２１２ａが形成される。連結部２１２の各辺は、折り曲げ形成されて、連結部２１２を補強するとともに、フレーム２１１を引掛けたりする機能を有する。また、連結部２１２の２つの角部が折り曲げられて突出する部分は、送り用の電源電線４０００または通信用電線５０００が載せかけられる電線載せかけ部２１２ｂである。
【００２６】
電源端子台２１５は、電源電線３０００または送り用の電源電線４０００の少なくともいずれかが挿入される電源線挿入部２１５ａと、第一光源装置２２０及び第二光源装置２３０に接続された内部電線が挿入される内部電線挿入部２１５ｂを有する。
【００２７】
端子台カバー２１７は、電源端子台２１５及び通信用電線２１６とを覆う主カバー部２１７ａと、この主カバー部２１７ａの側部に設けられた一対の側壁２１７ｂとを有する。
この一対の側壁２１７ｂは、その間にフレーム２１１を挟み込むように、フレーム２１１の端子台カバー取付部２１１ａに取り付けられる。
側壁２１７ｂは、端子台カバー２１７を所定の位置に保持する複数の保持溝２１７ｂａと、この複数の保持溝２１７ｂａを連結するように設けられ、端子台カバー２１７をスライド移動させるためのスライド溝２１７ｂｂとを有する。この保持溝２１７ｂａとスライド溝ｂｂとを合わせて端子台カバー固定部２１７ｂｃという。
【００２８】
なお、本実施の形態では、フレーム２１１に凸部２１１ａａとネジ２１１ａｂを有し、端子台カバーに保持溝ｂａとスライド溝ｂｂを有する場合について説明するが、フレーム２１１に保持溝ｂａとスライド溝ｂｂと同様の機能を有する機構を設け、端子台カバー２１７に凸部２１１ａａとネジ２１１ａｂと同様の機能を有する機構を設けてもよい。
【００２９】
端子台カバー固定部２１７ｂｃは、３つの保持溝２１７ｂａとスライド溝２１７ｂｂとを連結してＥ字状に開口されたスリットであり、このスリットに端子台カバー取付部２１１ａに固定するための凸部２１１ａａ及びネジ２１１ａｂが挿入される。
【００３０】
このＥ字状に形成された端子台カバー固定部２１７ｂｃ（保持溝２１７ｂａ、スライド溝２１７ｂｂ）に凸部２１１ａａ及びネジ２１１ａｂが挿入されることにより、工具などによりネジ２１１ａｂを緩めることなく、端子台カバー２１５をスライドさせることができるとともに、所定の位置にスライドさせたとき、端子台カバー２１５の自重によって端子台カバー２１７がスライドしないようにすることができる。
【００３１】
また、３つ形成されている保持溝２１７ｂａのうち、中央の保持溝２１７ｂａは、端子台カバーが第一の保持位置にあるとき、及び端子台カバーを第一の保持位置からスライドして第二の保持位置にあるときのいずれも、フレーム２１１に設けられた２つの凸部２１１ａａ及びネジ２１１ａｂのいずれか一方が挿入されるものである。つまり、３つ形成されている保持溝２１７ｂａのうち、中央の保持溝２１７ｂａは、端子台カバー２１７が第一の保持位置或いは第二の保持位置に配置される際、共通して使用されるものである。
【００３２】
なお、本実施の形態では、端子台カバー固定部２１７ｂｃの形状が、Ｅ字状である場合について説明したが、端子台カバー固定部２１７ｂｃの形状は、２つの保持溝２１７ｂａで形成された「コ」または「Ｕ」字状であってもよく、また、４つ以上の保持溝２１７ｂａを有するような形状にしてもよい。また本実施の形態では、複数の保持溝２１７ｂａを直線状に１つのラインで連結する場合について説明したが、隣り合う複数の保持溝２１７ｂａを連結すればよいので、保持溝２１７ｂａ同士をつなぐスライド溝２１７ｂｂは、１つのライン上に並べることなく、段違いに並べてもよい。
【００３３】
器具本体化粧カバー２１８は、フレーム２１１の下側に引っ掛かる引掛け部２１８ａと、フレーム２１１の側面を覆う化粧部２１８ｂと、吊り下げ保持部１２０の上側に引っ掛かり、ネジなどによって吊り下げ保持部１２０の固定部１２１に締結される固定部２１８ｃとを有する。
【００３４】
なお、第一光源装置２２０、第二光源装置２３０は、例えば、特開２０１６−１１０９９７号公報（図２７、図２８）に代表されるようなトラフ形照明器具である。
【００３５】
次に、吊り下げ連結具１００及び吊り下げ用照明器具２００の取り付け工程について説明する。
【００３６】
被取付具２０００の一つである吊りボルトに取付具１１１の挿通孔に挿入し、ナット締めを行なって、取付具１１１を締結する。
【００３７】
パイプ１１４の一端側を取付固定具１１２の挿通孔に挿入し、パイプ１１４のネジ切り部にねじ込む２つのナットで取付固定具１１２を挟み込み締結する。
【００３８】
パイプ１１４が締結された取付固定具１１２を取付具１１１の突出部に載せ、取付固定具１１２の曲げ部１１２ａが取付具１１１に引っ掛けて仮載せすることができ、ネジで突出部と取付固定具１１２を容易に締結する。
【００３９】
取付カバー１１３をパイプ１１４に挿入して、取付具１１１にネジで固定する。このように、取付カバー１１３を取付具１１１に取り付けることで、取付具１１１、取付固定具１１２及び締結部品（ネジ、ナット）を覆うことができ、意匠性が向上する。
【００４０】
次に、パイプ１１４の他端側に吊り下げ保持具１２０の挿通孔を通過させ、ネジ切り部にねじ込む２つのナットで吊り下げ保持具１２０を締結する。
【００４１】
連結具化粧カバー１３０を吊り下げ保持具１２０に対してスライドさせて、吊り下げ保持具１２０の固定部１２１に載せ、ネジで吊具カバーを吊り下げ保持具１２０に締結する。
これにより、吊り下げ連結具１００の取り付けは完了となる。
【００４２】
なお、天井などからオプション用機器や吊り下げ用照明器具２００への電源電線３０００が引き出されている場合は、パイプ１１４が中空状となっているので、このパイプ１１４の内部を通して、連結具化粧カバー１３０内まで引き込む。
【００４３】
この吊り下げ連結具１００は、取り付ける吊り下げ用照明器具２００の数に応じて被取付部２０００に取り付けられ、それぞれの吊り下げ連結具１００の間隔は、取り付ける吊り下げ用照明器具２００の器具長とほぼ同じである。
【００４４】
この状態で、吊り下げ用照明器具２００の器具本体２１０の長手方向の両端部を、隣り合った２つの吊り下げ連結具１００の上方である電線格納部１２３側から下方に向かって落とし込み、器具本体２１０の器具載せかけ部である端部２１３が連結具化粧カバー１３０に当接することにより、所定の位置に保持される。さらに、器具本体連結部１４０とフレーム２１１、吊り下げ保持具１２０と連結部２１２をそれぞれネジで締結することにより固定される。
【００４５】
なお、吊り下げ連結具１００に、パイプ１１４を介して天井などから電源電線３０００が引き込まれている場合は、この電源電線３０００を連結部２１２の挿通孔に挿通させて、当該吊り下げ用照明器具２００の電源端子台２１５に接続する。さらに、吊り下げ連結具１００に、例えば、オプション品として照明コントローラ３００が取り付けられている場合は、この照明コントローラ３００に接続される通信用電線５０００を、電源電線３０００と同様に、連結部２１２の挿通孔に挿通させて、当該吊り下げ用照明器具２００の信号端子台２１６に接続する。
【００４６】
次に、２つの器具本体化粧カバー２１８をフレーム２１１の両側の下側にそれぞれ引っ掛け、この引っ掛かり部を軸に回動させて、フレーム２１１の側面に当接させて、器具本体化粧カバー２１８の上側からネジで吊り下げ保持具１２０に固定する。このように、器具本体化粧カバー２１８を取り付ける前に、吊り下げ用照明器具２００に取り付ける電源電線３０００などの結線作業を行なうことができるので、作業性がよく、また、結線作業などを行なった後に器具本体化粧カバー２１８を、フレーム２１１の下側に引っ掛けて、吊り下げ保持部１２０の上側を締結するようにしたので、少ない作業で簡単に器具本体化粧カバー２１８をフレーム２１１に取り付けることができ、作業性が向上する。
【００４７】
さらに複数の吊り下げ用照明器具２００を取り付けるときは、同じ工程で吊り下げ連結具１００を被取付具２０００に取り付け、吊り下げ用照明器具２００を吊り下げ連結具１００に取り付けていく。このように取り付けると、図１に示すように複数の吊り下げ用照明器具２００と複数の吊り下げ連結具１００はライン状に並んで取り付けることができる。この際、それぞれの吊り下げ用照明器具２００に接続する送り用の電源電線４０００と通信用電線を連結部２１２に形成されている電線挿通孔２１２ａを介して、吊り下げ用照明器具２００間、吊り下げ連結具１００間を送るようにしてもよいが、電線挿通孔２１２ａを通すのには手間がかかる。そこで、図８に示すように２つの吊り下げ用照明器具２００の電源端子台２１５または信号線端子台２１６にそれぞれ送り用の電源電線４０００、通信用電線５０００を接続し、接続した電線を吊り下げ用照明器具２００及び吊り下げ連結具１００の上部開口部分から挿入し、電線載せかけ部２１２ｂ及び電線格納部１２３に載せかける（載置させる）。このように、送り用の電源電線４０００または通信用電線５０００を電線載せかけ部２１２ｂ及び電線格納部１２３に載せかける（載置させる）ことで格納できるので、送り用の電源電線４０００または通信用電線５０００を配線する手間（電線挿入孔２１２ａに電源電線４０００または通信用電線５０００を通す作業工程）を省くことができ、施工性が向上する。
【００４８】
また、吊り下げ用照明器具２００及び吊り下げ連結具１００の側面は器具本体化粧カバー２１８、連結具化粧カバー１３０で覆われているので、吊り下げ用照明器具２００及び吊り下げ連結具１００の側方向、直下方向、斜め下方向からのユーザーの視界には格納された送り用の電源電線４０００または通信用電線５０００が入らないようにすることができ、意匠性に優れた吊り下げ用照明器具２００または吊り下げ連結具１００とすることができる。
【００４９】
次に、電源電線３０００、送り用の電源電線４０００及び通信用電線５０００の接続工程について、図９〜図１２を用いて説明する。
端子台カバー取付部２１１ａのネジ２１１ａｂを第一の保持位置（図１１（ａ）、図１２（ａ））の保持溝２１７ｂａからスライド可能なスライド溝２１７ｂｂの位置（図１１（ｂ）、図１２（ｂ））まで端子台カバー２１７を持ち上げる。
【００５０】
持ち上げた端子台カバー２１７を第二の保持位置（図１１（ｃ）、図１２（ｃ））の保持溝２１７ｂａまでスライドさせて、端子台カバー２１７を離す。
【００５１】
すると、端子台カバー２１７の自重により、端子台カバー取付部２１１ａのネジ２１１ａｂが第二の保持位置の保持溝２１７ｂａに入り込み、端子台カバー２１７がスライドしないように規制される。
【００５２】
このとき、電源端子台２１５及び信号線端子台２１６の電源線挿入部２１５ａ、通信用電線挿入部２１６ａが露出される。
【００５３】
次に、露出された電源線挿入部２１５ａ、通信用電線挿入部２１６ａに電源電線３０００、送り用の電源電線４０００または通信用電線５０００を挿入して接続する。
【００５４】
最後に、先の手順と逆の手順で端子台カバー２１７をスライド移動して、第二の保持位置の保持溝２１７ｂａから第一の保持位置の保持溝２１７ｂａへ戻す。
【００５５】
このとき、電源端子台２１５または信号線端子台２１６の電源線挿入部２１５ａ、通信用電線挿入部２１６ａは、端子台カバー２１７に覆われる。
【００５６】
従って、吊り下げ用照明器具２００を継続的に使用していく際、吊り下げ用照明器具２００の上方には、塵埃が溜まっていくが、電源線挿入部２１５ａ、通信用電線挿入部２１６ａの近傍には溜まり難くなる。そのため、電源線挿入部２１５ａ、通信用電線挿入部２１６ａの近傍に塵埃が溜まると、溜まった塵埃によって、電源電線３０００、送り用の電源電線４０００、通信用電線５０００の銅線露出部（電源線挿入部２１５ａ、通信用電線挿入部２１６ａに挿入して導通させるために被覆を剥がした部分）同士の絶縁距離が短くなる恐れがあるが、端子台カバー２１７によって、電源線挿入部２１５ａ、通信用電線挿入部２１６ａの近傍には塵埃が溜まり難くしたので、塵埃の影響を受け難くすることができ、電源電線３０００、送り用の電源電線４０００、通信用電線５０００の銅線露出部同士の絶縁距離を所定距離以上となるように管理することができる。
【００５７】
また、端子台カバー２１７の自重によって、第一または第二の所定位置に保持する構造としたので、工具などを必要とせずに、容易に端子台カバー２１７をスライドさせたり、所定の位置に保持したりすることができ、作業性が向上する。なお、所定の位置に端子台カバー２１７を設置した後、端子台カバー２１７が外れたりするのを確実に防止するために、端子台カバー２１７を固定するための固定機構や固定部品などを別途設けてもよい。
【００５８】
また、端子台カバー２１７の断面形状をＭ字とする（主カバー部２１７ａに凹みを形成する）ことで、送り用の電源電線４０００または通信用電線５０００を端子台カバー２１７の上部を通した場合、電源電線４０００または通信用電線５０００の自重でＭ字状の中央部分の凹み（最も低い高さの部分）に吸い寄せられるように載置される。したがって、端子台カバー２１７の主カバー部２１７ａの形状を、高低差を有する形状とすることで、電源電線４０００または通信用電線５０００は端子台カバー２１７の上からずれ落ちるのを抑制する（落ち難くする）ことができる。
【００５９】
また、フレーム２１１に設けられた端子台カバー取付部２１１ａが、電源端子台２１５または信号線端子台２１６を挟み込むように設けられることで、端子台カバー２１７の側壁２１７ｂ（端子台カバー固定部２１７ｂｃ）をフレーム２１１から突出させないように突出量を少なくすることができ、端子台カバー２１７の高さを低くすることができる。
【符号の説明】
【００６０】
１０００  照明システム、２０００  被取付具、３０００  電源電線、４０００  送り用の電源電線、５０００  通信用電線、１００  吊り下げ連結具、１１０  吊り具、１１１  取付具、１１２  取付固定具、１１３  取付カバー、１１４  パイプ、１２０  吊り下げ保持具、１２１  固定部、１２２  吊り具締結部、１２３  電線格納部、１２３ａ  載置部、１２３ｂ、１２３ｃ  立設部、１３０  連結具化粧カバー、１３１  係止部、１３２  オプション取付穴、１３３  ネジ、１４０  器具本体連結部、１４１  ネジ、１４２  固定穴、２００  吊り下げ用照明器具、２１０  器具本体、２１１  フレーム、２１１ａ  端子台カバー取付部、２１１ａａ  凸部、２１１ａｂ  ネジ、２１２  連結部、２１２ａ  電線挿通孔、２１２ｂ  電線載せかけ部、２１３  端部、２１４  第一光源ユニット取付台座、２１５  電源端子台、２１５ａ  電源線挿入部、２１５ｂ  内部電線挿入部、２１６  信号線端子台、２１６ａ  通信用電線挿入部、２１６ｂ  内部電線挿入部、２１７  端子台カバー、２１７ａ  主カバー部、２１７ｂ  側壁、２１７ｂａ  保持溝、２１７ｂｂ  スライド溝、２１７ｂｃ  端子台カバー固定部、２１８  器具本体化粧カバー、２１８ａ  引掛け部、２１８ｂ  化粧部、２１８ｃ  固定部、２２０  第一光源装置、２３０  第二光源装置、３００  照明コントローラ。
【図１】
2018022557.tif 000003
【図２】
2018022557.tif 000004
【図３】
2018022557.tif 000005
【図４】
2018022557.tif 000006
【図５】
2018022557.tif 000007
【図６】
2018022557.tif 000008
【図７】
2018022557.tif 000009
【図８】
2018022557.tif 000010
【図９】
2018022557.tif 000011
【図１０】
2018022557.tif 000012
【図１１】
2018022557.tif 000013
【図１２】
2018022557.tif 000014